(57)【要約】【課題】引き出し式の開閉扉の枠補強部材を真空断熱材で覆いうようにして断熱性能を向上すると共に、枠補強部材を強固に内壁に固定することができる新規な冷蔵庫を提供することにある。【解決手段】開閉扉の内壁の内側に凹んだ内壁側平面部を形成し、これとほぼ同じ高さの保持平面部によって枠補強部材を覆うようにした保持部材を枠補強部材に取り付け、更に真空断熱材を内壁側平面部と保持平面部を覆うように配置して真空断熱材と化粧板の間にポリウレタンフォームを充填すると共に、食品収納ケースを支持する支持枠を内壁の外側から枠補強部材と保持部材に固定的に取り付けた。これによって、引き出し式の開閉扉の枠補強部材を真空断熱材で覆うようにして断熱性能を向上すると共に、枠補強部材を強固に内壁に固定することができるという効果を奏することができるようになる。【選択図】図５
2015052398.tif 000002
【特許請求の範囲】
【請求項１】
枠体によって支持された化粧板と、前記化粧板と協働しポリウレタンフォームが充填される断熱空間を形成する前記枠体に固定された内壁と、前記内壁の内面に取り付けられた真空断熱材と、前記内壁の外側に取り付けられる食品収納ケースを支持するための支持枠と、前記支持枠を固定するために前記内壁の内側に取り付けられた枠補強部材とからなる引き出し式開閉扉を備えた貯蔵室を有する冷蔵庫において、
前記内壁の内側に凹んだ内壁側平面部を形成し、これとほぼ同じ高さの保持平面部によって前記枠補強部材を覆うようにした保持部材を前記枠補強部材に取り付け、更に、前記真空断熱材を前記内壁側平面部と前記保持平面部を覆うように配置して前記真空断熱材と前記化粧板の間にポリウレタンフォームを充填すると共に、前記支持枠を前記内壁の外側から前記枠補強部材と前記保持部材に固定的に取り付けたことを特徴とする冷蔵庫。
【請求項２】
請求項１記載の冷蔵庫において、
前記枠補強部材には固定部が形成され、前記保持部材に形成された連結部が前記固定部に形成した係止部に連結されていることを特徴とする冷蔵庫。
【請求項３】
請求項１記載の冷蔵庫において、
前記保持部材は、真空断熱材を保持する保持部と、この保持部に対して９０度の角度を介して設けられた埋設部を備え、前記真空断熱材は前記保持部に接触するようにして保持されていると共に、前記保持部と前記埋設部は前記ポリウレタンフォームによって埋設されていることを特徴とする冷蔵庫。
【請求項４】
請求項１記載の冷蔵庫において、
前記保持部材には前記枠補強部材側に位置する固定部が形成されており、前記支持枠に取り付けられた固定ネジを前記枠補強部材を介して前記固定部にねじ込むことによって、前記固定部と前記支持枠の間に挟み込んで固定することを特徴とする冷蔵庫。
【請求項５】
請求項２記載の冷蔵庫用扉において、
前記真空断熱材の端面に対して前記埋設部は傾斜を有して対向配置され、前記真空断熱材の端面と前記埋設部との間には前記ポリウレタンフォームが充填されることを特徴とする冷蔵庫。
【発明の詳細な説明】
【技術分野】
【０００１】
本発明は食品や飲料水等を冷蔵或いは冷凍して貯蔵する冷蔵庫に係り、特に開閉扉に真空断熱材を介装した冷蔵庫に関するものである。
【背景技術】
【０００２】
近年、家庭用の冷蔵庫は大容量化しており、冷蔵庫の本体の高さ寸法や横幅寸法の大きい６００リットルクラスの大型冷蔵庫も発売されている。更に、今後の社会環境の変化、例えば、有職主婦の増加による食料品のまとめ買いの増加等、によってその需要はますます増加傾向にある。
【０００３】
そして、このような大型の冷蔵庫では貯蔵室が多くなり、多扉式の冷蔵庫が普及してきている。例えば、冷蔵庫本体の上から冷蔵室、製氷室、この製氷室の横に併設された上部冷凍室、下部冷凍室、野菜室の順に配置されたものが知られている。これらの各貯蔵室の前面開口部を開閉するための開閉扉がそれぞれ取り付けられている。
【０００４】
そして、冷蔵室の前面開口部を開閉する２枚の開閉扉はヒンジ機構で回動可能に保持され、観音扉式に開閉するようになっている。その他の製氷室、上部冷凍室、下部冷凍室、野菜室の開閉扉は前後方向に移動して各貯蔵室の開口を開閉する引出し式扉となっている。
【０００５】
一方、地球温暖化を防止する社会の取り組みとして、二酸化炭素（ＣＯ２）の排出抑制を図るため様々な分野で省エネルギー化が推進されている。例えば、近年の電気製品、特に冷熱関連の家電製品である冷蔵庫においても、消費電力量を低減する観点から断熱性能を向上した冷蔵庫が主流になってきている。そのためには、冷蔵庫内部の冷気が冷蔵庫の外部に逃げない構造が不可欠である。
【０００６】
冷蔵庫は冷蔵庫本体である断熱箱体と、その断熱箱体に設けられる貯蔵室の前面開口部を開閉する開閉扉とで構成されている。そして、冷蔵庫内部の冷気が冷蔵庫の外部に逃げないようにするためには断熱箱体や開閉扉の断熱性能を向上することが有効である。このため断熱箱体や開閉扉にポリウレタンフォームを充填すると共に、このポリウレタンフォーム内部に真空断熱材を配置して熱の移動を抑制するようにしている。
【０００７】
このような真空断熱材を使った冷蔵庫の開閉扉は、例えば特開２０１１−６９５５９号公報（特許文献１）、特開２００５―１６７７６号公報（特許文献２）等に示されている。特許文献１に記載されている開閉扉は、真空断熱材を外板や内板に接触させないために、真空断熱材を支持ホルダによってポリウレタンフォーム中に保持するようにしたものである。また、特許文献２に記載されている開閉扉は、真空断熱材とポリウレタンフォームとを剥離紙を介して接着させないようにすることで、ポリウレタンフォームの隙間に凹凸が発生する防止したものである。
【先行技術文献】
【特許文献】
【０００８】
【特許文献１】特開２０１１―６９５５９号公報
【特許文献２】特開２００５―１６７７６号公報
【発明の概要】
【発明が解決しようとする課題】
【０００９】
断熱箱体や開閉扉に真空断熱材を配置した冷蔵庫は断熱性能が極めて優れているため省電力に大いに貢献できるばかりでなく、優れた断熱性能のため断熱箱体や開閉扉の壁を薄くすることができることから、冷蔵庫の貯蔵室の容量を大きくすることが可能となっている。このような背景から断熱箱体だけでなく、開閉扉にも真空断熱材を使用することが多く行われるようなってきた。今までは主に冷蔵室扉のような回転式扉に真空断熱材を使用していたが、最近では製氷室、上部冷凍室、下部冷凍室、野菜室の開閉扉のような引き出し式の開閉扉にも真空断熱材を使用するようにしている。
【００１０】
真空断熱材はグラスウール等の芯材とゲッター材を収納した袋状のアルミニウム等からなる金属箔（外包材）内を減圧にして密封した板状となっている。この真空断熱材は薄い金属箔よりなる外包材に収納されているため、外力に弱いという弱点を有している。このため、真空断熱材の減圧状態が維持されなくなる原因となる折り曲げ加工は極力避けた方が良いことがわかっている。したがって、真空断熱材を冷蔵庫の引き出し式の開閉扉内に組み込む場合は、真空断熱材を折り曲げない状態で平面板状に構成された化粧板若しくは平面部を有する内壁に貼り付けるのが一般的である。
【００１１】
ところで、冷蔵庫の機種によっては引き出し式の開閉扉のデザイン上、開閉扉の表面となる化粧板を横幅方向に曲面が形成されるように折り曲げ加工したものがある。したがって、このような機種の引き出し式の開閉扉の場合は、化粧板へ真空断熱材を貼り付けるのを避け、真空断熱材は内壁の平面部に貼り付けられることになる。しかしながら、内壁に真空断熱材を貼り付ける場合には以下のような課題が生じることが判明した。
【００１２】
つまり、引き出し式の開閉扉の内壁の外側には食品収納ケースを支持するための支持枠が固定される。このため、この支持枠を強固に支持するために鉄板を折り曲げて形成した枠補強部材が内壁の内側に取り付けられている。この枠補強部材は化粧板と内壁との間の断熱空間に充填されるポリウレタンフォームによって強固に固定される構成となっている。このため、ポリウレタンフォームを枠補強部材側に積極的に流入させる必要があり、真空断熱材は枠補強部材の約半分だけ覆い、残りの半分はポリウレタンフォームを枠補強部材側に誘導してポリウレタンフォームを充填する構成とされている。
【００１３】
ところが、真空断熱材は枠補強部材の約半分だけ覆う形状であるため、この分だけ断熱性能が犠牲となっている。したがって、引き出し式の開閉扉の断熱性能を更に向上するためには、真空断熱材によって枠補強部材を覆うように真空断熱材の面積を大きくすることが有効である。このような要請に基づいて、発明者等は枠補強部材を完全に覆うような面積を有する真空断熱材を内壁の内側に貼り付けてポリウレタンフォームの流れを観察した。その結果、枠補強部材全体が真空断熱材によって覆われたため、ポリウレタンフォームを枠補強部材側に良好に誘導することができなくなって、ポリウレタンフォームが円滑に枠補強部材側に流入しないことが判明した。
【００１４】
そして、ポリウレタンフォームが枠補強部材側に充填されずに真空断熱材と枠補強部材との間に空間が出来た場合、ポリウレタンフォームの充填箇所と未充填箇所とで壁厚みが異なってポリウレタンフォームの収縮による歪が生じるという課題や、ポリウレタンフォームの未充填により枠補強部材の取り付け箇所近傍が強度不足となり、開閉扉が変形してしまうという課題が新たに発生することが分かった。
【００１５】
このような引き出し式の開閉扉の課題に対して、特許文献１、特許文献２では冷蔵庫用扉を構成する金属製の化粧板と樹脂製の内壁との間に真空断熱材を配置してポリウレタンフォームを充填することについては記載されているが、食品収納ケースを支持する支持枠を備えた引き出し式の開閉扉の断熱性能の向上と枠補強部材の取り付け箇所付近の固定強度の向上については何ら示唆する記載は見当たらない。
【００１６】
本発明の目的は、引き出し式の開閉扉の枠補強部材を真空断熱材で覆いうようにして断熱性能を向上すると共に、枠補強部材を強固に内壁に固定することができる新規な冷蔵庫を提供することにある。
【課題を解決するための手段】
【００１７】
本発明の特徴は、開閉扉の内壁の内側に凹んだ内壁側平面部を形成し、これとほぼ同じ高さの保持平面部によって枠補強部材を覆うようにした保持部材を枠補強部材に取り付け、更に真空断熱材を内壁側平面部と保持平面部を覆うように配置して真空断熱材、と化粧板の間にポリウレタンフォームを充填すると共に、食品収納ケースを支持する支持枠を内壁の外側から枠補強部材と保持部材に固定的に取り付けた、ところにある。
【発明の効果】
【００１８】
本発明によれば、引き出し式の開閉扉の枠補強部材まで真空断熱材で覆うようにして断熱性能を向上すると共に、枠補強部材を強固に内壁に固定することができるという効果を奏することができるようになる。
【図面の簡単な説明】
【００１９】
【図１】本発明が適用される冷蔵庫の正面図である。
【図２】図１のＡ−Ａ断面を示す断面図である。
【図３】本発明の第１の実施形態になる引き出し式の開閉扉の斜視図である。
【図４】図３に示す引出し式の開閉扉を分解した状態の分解斜視図である。
【図５】本発明の第１の実施形態になる引き出し式の開閉扉の断面図である。
【図６】本発明の第１の実施形態になる引き出し式の開閉扉の枠補強部材周辺の拡大斜視図である。
【図７】図６に示す枠補強部材周辺の拡大側面図である。
【図８】本発明の第２の実施形態になる引き出し式の開閉扉の枠補強部材周辺の拡大側面図である。
【発明を実施するための形態】
【００２０】
以下、本発明の実施形態について図面を用いて詳細に説明するが、本発明は以下の実施形態に限定されることなく、本発明の技術的な概念の中で種々の変形例や応用例をもその範囲に含むものである。
【００２１】
まず、冷蔵庫の全体的な構成について図１を用いて説明する。図１において、冷蔵庫本体１は貯蔵室として上から冷蔵室２、製氷室３、この製氷室３に併設された上部冷凍室４、下部冷凍室５、野菜室６の順に配置されている。
【００２２】
そして、これらの各貯蔵室は前面開口部を開閉するための開閉扉２ａ、３ａ、４ａ、５ａ、６ａがそれぞれ取り付けられている。冷蔵室２の前面開口部を開閉する２枚の開閉扉２ａはヒンジ機構で回動可能に支持され、観音扉式に開閉するようになっている。その他の貯蔵室の開閉扉３ａ、４ａ、５ａ、６ａは前後方向に移動して各貯蔵室の前面開口部を開閉する引出し式扉となっている。このように、冷蔵室２の前面開口部は冷蔵室用扉２ａで開閉され、製氷室３の前面開口部は製氷室用扉３ａで開閉される。同様に、上部冷凍室４の前面開口部は上部冷凍室用扉４ａで開閉され、下部冷凍室５の前面開口部は下部冷凍室用扉５ａで開閉され、野菜室６の前面開口部は野菜室用扉６ａで開閉されるようになっている。
【００２３】
図２において、冷蔵庫本体１の内部奥側には冷却器室７が形成され、この冷却器室７内に冷却器８が収納されている。野菜室６の奥側と対向し、断熱壁９を隔てた位置には機械室１０が設けられ、この機械室１０内には圧縮機１１が設置されている。この圧縮機１１と冷却器８とは図示していないが、凝縮器とキャピラリチューブが冷媒配管で順に連結されることによって冷凍サイクルを構成している。
【００２４】
冷却器８の上部には冷気循環ファン１２が取り付けられている。この冷気循環ファン１２は冷却器８で冷却された冷気を冷蔵室２、製氷室３、上部冷凍室４、下部冷凍室５、野菜室６に強制循環して各貯蔵室を冷却するためのものである。冷気循環ファン１２の下流側にはダンパ１３が取り付けられている。このダンパ１３は冷気循環ファン１２によって吹き出された冷気を各貯蔵室に分配するためのものである。このダンパ１３の動作は制御基板（図示せず）からの制御信号で制御される。
【実施例１】
【００２５】
次に本発明の第１の実施形態になる引き出し式の開閉扉の構成について図３乃至図５を用いて詳細に説明する。尚、本実施例では製氷室用扉３ａと上部冷凍室用扉４ａは真空断熱材が使用されていないので、図示した引出し式の開閉扉は下部冷凍庫用扉５ａ若しくは野菜室用扉６ａである。ただ、製氷室用扉３ａと上部冷凍室用扉４ａにも真空断熱材を使用して本実施例のような構成を採用するようにしても良い。
【００２６】
図３乃至図５において、引き出し式の開閉扉組立体４０は開閉扉４１と食品収納ケース２０、支持枠２１とから構成されている。そして、開閉扉４１の正面側には鉄板を折り曲げて形成した化粧板１４が取り付けられている。この化粧板１４の上下は樹脂製の上側枠体１５ａと下側枠体１５ｂとで支持されている。上側枠体１５ａには化粧板１４と組み合わせられる手掛けハンドル１６が一体的に形成されている。化粧板１４と内壁１８とは協働して断熱空間を形成するものである。
【００２７】
図４に示される開閉扉４１を形成する内壁１８には食品収納ケース２０を支持するための支持枠２１が取り付けられている。この支持枠２１は内壁１８の内面側にリベット或いはネジによって取り付けられた鉄等の金属製の枠補強部材１９に強固に取り付けられている。
【００２８】
支持枠２１は冷蔵庫の貯蔵室に設けたレールに摺動自在に案内されるものであり、手掛けハンドル１６によって開閉扉組立体４０を引き出すことができる。内壁１８の内側に突出した内壁側平面部１８ａ(図５を参照)には真空断熱材１７が両面テープ（図示せず）などで貼り付けられている。また。この真空断熱材１７と対向する面には開閉扉41を形成する化粧板１４が取り付けられている。
【００２９】
次に、この引出し式の開閉扉の組み立て手順を以下に簡単に説明する。
（１）支持枠２１を支持するための枠補強部材１９がリベットやネジ等によって取り付けられた内壁１８の内壁側平面部１８ａの面に真空断熱材１７が貼り付けられる。
（２）その後、各枠体と化粧板１４とで形成される内部空間にポリウレタンフォームの原液が注入され、この原液が発泡を開始すると同時に内壁１８を枠体１５に覆い被せるようにして密閉、固定する。
（３）内壁１８、各枠体、及び化粧板１４との間に形成された密閉空間ではポリウレタンフォームの原液が発泡によって充満して発泡されたポリウレタン層が形成されることになる。
（４）このようにして作られた開閉扉４１の内壁１８の外側から、支持枠２１と枠補強部材１９を固定ネジによって固定して、引出し式の開閉扉が完成される。
【００３０】
このようにして、本実施例になる引き出し式の開閉扉が得られるものである。尚、図４、図５からわかるように、内壁１８の内側において、枠補強部材１９が取り付けられる箇所と、真空断熱材１７が貼り付けられる箇所（内壁側平面部１８ａ）とは同一面上に形成されていない。
【００３１】
これは、内壁側平面部１８ａを化粧板４側（即ち、ポリウレタンフォーム側）に凹ませることで、食品収納ケースを手前側（即ち、内壁１８側）に突出させた形状にでき、食品収納ケースを大きくできるようになる。このように、開閉扉の内側の一部を化粧板４側に凹ませた形状にするとその部分の断熱壁の厚さが減少するが、その分だけ真空断熱材１７を設置することにより断熱性能を確保することができる。
【００３２】
更に、枠補強部材１９が取り付けられる内壁１８の箇所が内壁側平面部１８ａより凹んでいる（図４では内壁側平面部１８aより上側に位置している）ので、この部分に後述する保持部材２２を配置することが可能となっている。
【００３３】
図５は引出し式の開閉扉組立体４０から食品収納ケース２０と支持枠２１とを取り外した状態の開閉扉４１の断面図である。尚、開閉扉４１の内部にポリウレタンフォームを注入する場合は、開閉扉４１を横に載置した状態で行うため、図５は開閉扉４１を横にして描いている。
【００３４】
図５において、前面の化粧板１４と内壁１８は上部枠体１５ａと下部枠体１５ｂとによって支持されている。上部枠体１５ａの下側(図では横側)に延びる手掛け部と化粧板１４に形成された凹状部によって手掛けハンドル１６が形成されている。
【００３５】
また、図５においてわかるように、枠補強部材１９の下側には枠補強部材１９を覆うように保持部材２２が取り付けられており、この保持部材２２には保持平面部２２ｋが形成されている。この保持平面部２２ｋは補強部材１９を覆う大きさに形成されており、更に、内壁１８の内壁側平面部１８ａとほぼ同じ高さ位置にあり、これらは所謂『面一』になっている。
【００３６】
したがって、保持平面部２２ｋと内壁１８の内壁側平面部１８ａとはほぼ段差がない状態になっており、保持平面部２２ｋと内壁側平面部１８ａから見ると、保持平面部２２ｋと内壁側平面部１８ａには真空断熱材が対向して載置された状態となる。
【００３７】
真空断熱材１７は、その下端側(図では右側端)が内壁１８の内壁側平面部１８ａの投影面内に位置すると共に、その上端側(図では左側端)が内壁１８に取り付けられた枠補強部材１９の投影内に位置する大きさの面積となっている。つまり、本実施例においては、真空断熱材１７は枠補強部材１９のほぼ全面を覆うと共に、内壁側平面部１８ａの下端部、図では内壁側平面部１８aが終了する付近、まで延びている。
【００３８】
好ましくは、真空断熱材１７の下端側が内壁側平面部１８ａよりも下方の下部枠体１５ｂ付近まで延び、上端側が枠補強部材１９よりも上方の上部枠体１５a付近まで延びるようにして真空断熱材１７の面積を拡大しても良いものである。
【００３９】
要は、枠補強部材１９より内壁側平面部１８ａを化粧板４側に突出させ、この突出した内壁側平面部１８aと『面一』となるように保持部材２の保持平面部２２ｋを位置させることで、保持部材２２の保持平面部２２ｋと内壁側平面部１８ａ上に真空断熱材１７が存在するようにすれば、真空断熱材１７によって枠補強部材１９を覆うことができるようになるものである。
【００４０】
このように、枠補強部材１９を覆うようにして真空断熱材１７は合成樹脂製の保持部材２２に保持されている。この保持部材２２には真空断熱材１７の保持部２２ａとポリウレタンフォーム２３が流入する埋設部２２ｂが一体成型により形成されている。詳細は図６、図７を用いて説明するが、枠補強部材１９と保持部材２２とは連結部によって機械的に連結、固定されており、ポリウレタンフォーム２３と保持部材２２によって枠補強部材１９は強度を持って内壁１８と結合されている。
【００４１】
このように、本実施例によれば、真空断熱材１７は内壁１８の内側（化粧板１４側）に位置し、保持部材２２の保持平面部２２ｋを介して枠補強部材１９及び内壁側平面部１８aのほぼ全面を覆う大きさの面積となっているため、高い断熱性能を得ることができる。
【００４２】
ここで、本来では枠補強部材１９をポリウレタンフォーム２３内に埋設させて内壁１８に強固に固定すべきである。しかしながら、従来の方法では、真空断熱材１７が枠補強部材１９の全面を覆うように位置しているので、真空断熱材１７と枠補強部材１９との間へのポリウレタンフォーム２３の流入の妨げになっている。したがって、ポリウレタンフォーム２３で枠補強部材１９を埋設して固定強度を向上することは期待できない。
【００４３】
これに対して、本実施例ではポリウレタンフォーム２３に埋設される保持部材２２を使用して枠補強部材１９と機械的に連結する構成としたので、枠補強部材１９を内壁１８に対して高い強度で支持することができるようになるものである。以下この構成について図６、図７を用いて説明する。
【００４４】
図６、図７において、保持部材２２には真空断熱材１７の保持部２２ａと、ポリウレタンフォーム２３が充填される埋設部２２ｂ、及び枠補強部材１９への連結部２２ｃが一体的に形成されている。尚、保持部２２ａもポリウレタンフォーム２３に埋設されるようになっている。保持部２２ａには強度を高める２本の中間リブ２２ｍが形成されており、この中間リブ２２ｍの間にポリウレタンフォーム２３が流入して、保持部２２ａとポリウレタンフォーム２３の結合を更に強めている。
【００４５】
保持部材２２の保持部２２ａと埋設部２２ｂとは真空断熱材１７の角部が位置するように互いに約９０度の角度をもってその位置が決められている。したがって、真空断熱材１７の組み付け時、或いはポリウレタンフォーム２３の発泡時に保持部２２aによって真空断熱材１７が移動するのを規制する効果も有している。
【００４６】
連結部２２ｃは保持部材２２の両側に形成されており、連結部２２ｃに形成された係止爪が枠補強部材１９の固定部として機能する折り曲げ部１９ａに形成した係止穴１９ｃに係止されて取り付け固定されている。枠補強部材１９の折り曲げ部１９ａは弾性を備える構成になっており、連結部２２ｃの取り付けを容易にしている。そして、保持部材２２は合成樹脂で作られており、両側に形成した連結部２２ｃは枠補強部材１９に形成した係止穴１９ｃに弾発的に係止されている。これによって、保持部材２２と枠補強部材１９は互いに連結されることになる。
【００４７】
保持部材２２の保持部２２ａの根元側には連結部２２ｃが位置しており、保持部２２ａに形成された中間リブ２２ｍによってポリウレタンフォーム２３が連結部２２ｃ側に流れ易くなっている。ポリウレタンフォーム２３の充填、発泡は図５にあるように、化粧板１４を下側にして行われる。ポリウレタンフォーム２３は、液状のポリオール成分とイソシアネート成分を発泡剤、反応触媒、及び整泡剤の存在下で反応させることにより得られるものである。したがって、発泡は下側から行われ、ポリウレタンフォーム２３は保持部２２ａに形成された中間リブ２２ｍの間を案内されて連結部２２ｃ側に流れこむようになる。これによって、連結部２２ｃの領域に均一な充填状態を確保することができ、連結部２２ｃと枠補強部材１９との連結を強固にすることができる。
【００４８】
埋設部２２ｂには複数個の開口部２２ｄが設けられている。この開口部２２ｄはポリウレタンフォーム２３が流入して、埋設部２２ｂとポリウレタンフォーム２３とをより強固に固定できるようにするために設けられたものである。
【００４９】
また、図７でわかるように、埋設部２２ｂは図上では斜め上側に傾斜させて設けられている。これは保持部材２２を金型で成型する際、抜き型の抜き方向を配慮したことにより傾斜したものである。この埋設部２２ｂの傾斜が結果的にポリウレタンフォーム２３の充填性を高めることになる。つまり、埋設部２２ｂが傾斜することによって真空断熱材１７の端面壁と埋設部２２ｂとの間に略三角の空間部（離間部）２３aが形成され、この空間部２３ａにポリウレタンフォーム２３が流入し、更に開口部２２ｄにも流入することでポリウレタンフォーム２３と保持部材２２とがより強固に固定されることになる。
【００５０】
また枠補強部材１９の折り曲げ部１９ａには複数個の開口部１９ｂが設けられている。これは埋設部２２ｂの開口部２２ｄと同様に、複数個の開口部１９ｂにポリウレタンフォーム２３を流入させて枠補強部材１９の固定強度を向上させるためのものである。本実施例では真空断熱材１７が枠補強部材１９を覆うように面積を拡大しているので、複数個の開口部１９ｂの全てにポリウレタンフォーム２３が到達することを前提としていない。但し、複数個の開口部１９ｂにポリウレタンフォーム２３が流入すれば、更に固定強度を向上することを期待できる。
【００５１】
このように、内壁１８の内壁側平面部１８aと保持部材２２の保持平面部２２ｋを覆うように真空断熱材１７を配置するので、真空断熱材１７の面積を大きくすることで断熱性能を向上できるようになる。
【００５２】
そして、枠補強部材１９に保持部材２２が取り付けられた内壁１８は化粧板１４と組み合わされてポリウレタンフォーム２３が充填されることになる。図７に示すように、枠補強部材１９は保持部材２２とポリウレタンフォーム２３によって内壁１８に強固に固定された状態となっている。
【００５３】
このように本実施例になる開閉扉４１においては、化粧板１４と内壁１８との間の空間に充填されたポリウレタンフォーム２３は、少なくとも保持部材２２の保持部２２a、及び埋設部２２ｂの領域部分に流れ込みながら空間全体に充填される。そのため、ポリウレタンフォーム２３が硬化した後は、真空断熱材１７は内壁１８の内壁側平面部１８ａと保持部材２２の保持平面部２２ｋに押し付け、密着されて強固に固定される。
【００５４】
更に、保持部材２２の保持部２２ａや埋設部２２ｂ、及び保持部材２２の周囲もポリウレタンフォーム２３によって埋設されるので、保持部材２２に連結された枠補強部材１９も、保持部材２２及びポリウレタンフォーム２３によって強固に固定されることになる。
【００５５】
図７にあるように、枠補強部材１９にはバーリング加工によってネジ孔が形成された固定部(図示せず)が形成されており、この固定部は支持枠２１の支持枠フランジ２１aに取り付けた固定ネジ２４がねじ込まれるようになっている。更に、この枠補強部材１９の固定部の位置に対応して、保持部材２２の枠補強部材１９側には円柱状の固定ボス２２eが形成されている。この固定ボス２２eには固定ネジ２４より小さい孔が形成されており、支持枠フランジ２１aに取り付けた固定ネジ２４を枠補強部材１９の固定部に捩じ込んだ後に、固定ネジ２４は上述した小さい孔を利用して固定ボス２２eに更にねじ込まれるものである。したがって、支持枠フランジ２１aと保持部材２２は枠補強部材１９を挟み込んで強固に密着固定される構成となっている。
【００５６】
このように、枠補強部材１９に保持部材２２を連結すると共に、枠補強部材１９を挟むようにして保持部材２２の固定ボス２２eと支持枠２１の支持枠フランジ２１aを密着、固定したので、保持部材２２による固定強度の向上に加え、ポリウレタンフォーム２３の硬化作用によって保持部材２２を介して枠補強部材１９の固定強度を向上することができるようになる。
【００５７】
このように、本実施例によれば、開閉扉４１の内壁１８の内側に形成した内壁側平面部とほぼ同じ高さの保持平面部２２ｋを有する保持部材２２で枠補強部材１９を覆うようにして保持部材２２を枠補強部材１９に取り付けた。そして、真空断熱材１７を内壁側平面部１８aと保持平面部２２ｋを覆うように配置して真空断熱材１７と内壁１８の間にポリウレタンフォーム２３を充填すると共に、食品収納ケースを支持する支持枠２１を内壁１８の外側から枠補強部材１９と保持部材２２に固定ネジ２４で固定するようにした。これによって、引き出し式の開閉扉の枠補強部材１９を真空断熱材で覆うようにして断熱性能を向上すると共に、枠補強部材１９を強固に内壁１８に固定することができるという効果を奏するようになる。
【実施例２】
【００５８】
次に、本発明の第２の実施形態になる引き出し式の開閉扉の構成について説明する。図８は第２の実施形態の特徴である保持部材２２周辺の側面を示している。
【００５９】
図８において、保持部２２ａには真空断熱材１７を弾発的に挟持できるように、弾性を備えた押圧片２２ｆが一体に設けられている。この押圧片２２ｆは保持平面部２２ｋとの間で、真空断熱材１７の厚みより狭い隙間を持っており、真空断熱材１７が差し込まれることによって、押圧片２２ｆは押し広げられて真空断熱材１７を受け入れる。このため、真空断熱材１７は押圧片２２ｆと保持平面部２２ｋの間で弾性力によって固定される。この状態で、ポリウレタンフォーム２３が充填されるので、ポリウレタンフォーム２３が円滑に押圧片２２ｆ付近まで流動するので、保持平面部２２ｋと真空断熱材１７の密着性を高めることができる。更に、真空断熱材１７は押圧片２２ｆと保持平面部２２ｋの間で弾性力によって固定されるので、ポリウレタンフォーム２３の充填時に真空断熱材１７が移動するのを抑制できる効果がある。
【００６０】
また、図８に示すように、保持部材２２の連結部２２ｃの先端には突起部２２ｇが設けられ、埋設部２２ｂの下方には係止部２２ｈが一体的に形成されている。図６に示したように、枠補強部材１９の折り曲げ部１９ａに設けられた係止穴１９ｃに連結部２２ｃの突起部２２ｇが係合し、更に、埋設部２２ｂの係止部２２ｈが開口部１９ｂに係止されて保持部材２２と枠補強部材１９が一体的に連結される。
【００６１】
具体的な連結の手順は次の通りである。保持部材２２は合成樹脂で作られているので、連結部２２ｃは或る程度の弾性を付与され、更に枠補強部材１９の折り曲げ部１９aも或る程度の弾性を付与されている。このため、突起部２２ｇを折り曲げ部１９ａの係止部１９ｃに差し込み、この後、埋設部２２ｂの係止部２２ｈの上部を下方向に押すと、折り曲げ部１９ａは自身が持つ弾性によって押し広げられる。更に、押し込むと開口部１９ｂに係止部２２ｈが入り込んで連結されることになる。
【００６２】
連結された状態では、図８にあるように上から保持部材２２及びこの固定ボス２２ｅ、枠補強部材１９、内壁１８の順に重ねられ、支持枠フランジ２１aに取り付けられた固定ネジ４によって密着、固定される。
【００６３】
このように本実施例によれば、保持部材２２と枠補強部材１９は簡単に連結することができるため、連結のための特別な部品や工具を必要としないものであり、製作コストを低減できる効果がある。
【００６４】
このように、本発明によれば、開閉扉の内壁の内側に凹んだ内壁側平面部を形成し、これとほぼ同じ高さの保持平面部によって枠補強部材を覆うようにした保持部材を枠補強部材に取り付け、更に真空断熱材を内壁側平面部と保持平面部を覆うように配置して真空断熱材と化粧板の間にポリウレタンフォームを充填すると共に、食品収納ケースを支持する支持枠を内壁の外側から枠補強部材と保持部材に固定的に取り付けるようにした。
【００６５】
これによって、引き出し式の開閉扉の枠補強部材を真空断熱材で覆うようにして断熱性能を向上すると共に、枠補強部材を強固に内壁に固定することができるという効果を奏することができるようになる。
【符号の説明】
【００６６】
１…冷蔵庫本体、２…冷蔵室、２ａ…冷蔵室用扉、３…製氷室、３ａ…製氷室用扉、４…第２の冷凍室、４ａ…第２の冷凍室用扉、５…第１の冷凍室、５ａ…第１の冷凍室用扉、６…野菜室、６ａ…野菜室用扉、７…冷却器室、８…冷却器、９…断熱壁、１０…機械室、１１…圧縮機、１２…冷気循環ファン、１３…ダンパ、１４…化粧板、１５…枠体、１５ａ…上側枠体、１５ｂ…下側枠体、１６…手掛けハンドル、１７…真空断熱材、１８…内壁、１８ａ…平面部、１９…枠補強部材、１９ａ…折り曲げ部、１９ｂ…開口部、１９ｃ…係止穴、２０…食品収納ケース、２１…支持枠、２２…保持部材、２２ａ…保持部、２２ｂ…埋設部、２２ｃ…連結部、２２ｄ…開口部、２２ｅ…固定ボス、２２ｆ…押圧片、２２ｇ…突起部、２２ｈ…係止部、２２ｋ…保持平面部、２２ｍ…中間リブ、２３…発泡ポリウレタンフォーム、２４…固定ネジ。
【図１】
2015052398.tif 000003
【図２】
2015052398.tif 000004
【図３】
2015052398.tif 000005
【図４】
2015052398.tif 000006
【図５】
2015052398.tif 000007
【図６】
2015052398.tif 000008
【図７】
2015052398.tif 000009
【図８】
2015052398.tif 000010